(57)【要約】【課題】商品ケースに容易に取り付けることが可能な商品陳列台を提供する。【解決手段】天板１０と、商品ケース３８の開口４０の壁面４２の上方に前記天板１０を支持する支持部材１２と、を備えた商品陳列台であって、前記支持部材２２は、前記天板１０に対して垂直下方に立設された固定板１６と、該固定板１６に対してその垂直方向に移動可能で、かつ所望の位置で固定可能な移動部材１８と、を備え、前記移動部材１８は、前記固定板１６が位置する面と平行な面上の前記固定板１６よりも下方に位置する対面板２４と、前記天板１０の前方裏面側から斜め下方に延在し、前記対面板２４を支持する支持部２２と、を有し、前記固定板１０が立設された位置よりも前記天板１０の重心が前方にあることを特徴とする。【選択図】図１
2007222452.tif 000002
【特許請求の範囲】
【請求項１】
天板と、商品ケースの開口の壁面の上方に前記天板を支持する支持部材と、を備えた商品陳列台であって、
前記支持部材は、前記天板に対して垂直下方に立設された固定板と、該固定板に対してその垂直方向に移動可能で、かつ所望の位置で固定可能な移動部材と、を備え、
前記移動部材は、前記固定板が位置する面と平行な面上の前記固定板よりも下方に位置する対面板と、前記天板の前方裏面側から斜め下方に延在し、前記対面板を支持する支持部と、を有し、
前記固定板が立設された位置よりも前記天板の重心が前方にあることを特徴とする商品陳列台。
【発明の詳細な説明】
【技術分野】
【０００１】
本発明は、上方が開口された商品ケースに収容された商品の試食品やその商品の関連商品などを陳列する商品陳列台に関する。
【背景技術】
【０００２】
従来から、スーパーなどの小売店において、冷凍食品や生鮮食品など冷蔵・冷凍保存が必要な商品を収容して、顧客に対してこれら商品を展示するものとして、上方が開口された冷蔵・冷凍商品ケースがある。このような商品ケース内の商品の試食品やその商品のタレなど関連商品を陳列する場合、例えば商品ケースの前に別体の試食台（特許文献１参照）を設けて、その試食台の上に陳列している。
【０００３】
【特許文献１】特開２００２−５８５７５号公報
【発明の開示】
【発明が解決しようとする課題】
【０００４】
このような試食台は、商品ケースの前に設置されるので、通路の一部を塞いでしまい、通行の妨げになるという問題がある。この問題を解決するため、商品ケースの壁面を挟持可能な支持部材で試食台など商品陳列用天板を支持することによって、天板を商品ケースに取り付けることが考えられるが、商品ケースの壁面の厚さは、様々であり、また天板は、商品ケースの壁面の厚さよりも大きいので、安定させて取り付けるのが容易でない。
【０００５】
そこで、商品ケースに容易に取り付けることが可能な商品陳列台を提供することを目的とする。
【課題を解決するための手段】
【０００６】
以上の目的を達成するため、本発明は、天板と、商品ケースの開口の壁面の上方に前記天板を支持する支持部材と、を備えた商品陳列台であって、前記支持部材は、前記天板に対して垂直下方に立設された固定板と、該固定板に対してその垂直方向に移動可能で、かつ所望の位置で固定可能な移動部材と、を備え、前記移動部材は、前記固定板が位置する面と平行な面上の前記固定板よりも下方に位置する対面板と、前記天板の前方裏面側から斜め下方に延在し、前記対面板を支持する支持部と、を有し、前記固定板が立設された位置よりも前記天板の重心が前方にあることを特徴とする。対面板が、固定板よりも下方に位置するとは、少なくとも対面板の中心が固定板の中心よりも下方に位置することであり、対面板の上端が固定板の下端よりも下方に位置することが好ましい。
【０００７】
本発明に係る商品陳列台は、固定板と対面板の間に商品ケースの開口の壁面を位置され、移動部材を固定板の方向に移動させ、固定板と対面板の両板が商品ケースの開口の壁面に接する位置で移動部材を固定する。この際、天板の重心は、固定板の位置よりも前方にあるとともに、対面板は、固定板よりも下方に位置するので、本発明に係る商品陳列台が前方に傾くように、荷重が移動部材の支持部を介して対面板に伝わり、商品陳列台を商品ケースの開口の壁面に安定させて支持することができる。すなわち、固定板、商品ケースの開口の壁面及び対面板の間に多少の遊びがあっても、天板が前側に傾き、その二重が対面板に伝わり、安定して天板を支持することができる。
【発明の効果】
【０００８】
以上のように本発明によれば、商品ケースに容易に取り付けることが可能な商品陳列台を提供することができる。
【発明を実施するための最良の形態】
【０００９】
次に、本実施例に係る商品陳列台を図面に基づいて説明する。図１は、本実施例に係る商品陳列台の斜視図であり、図２は、本実施例に係る商品陳列台の側面図であり、図３は、その断面図である。本実施例に係る商品陳列台は、天板１０と、商品ケースの開口を構成するフレームの上方に天板１０を支持する支持部材１２と、を備えている。
【００１０】
支持部材１２は、支持部材本体１４と、支持部材本体１４の下方に垂直に立設された固定板１６と、固定板１６に対してその垂直方向（図２の左右方向）に移動可能な移動部材１８と、を備えている。
【００１１】
移動部材１８は、図３に示すように、主として、平面部２０と、平面部２０の前縁から斜め下後方４５度の方向に湾曲して延在する支持部２２と、支持部２２の後縁から垂直上方向に湾曲して延在する対面板２４と、から構成されている。この対面板２４は、固定板１６が位置する面と平行な面上に位置するよう構成されている。平面部２０の幅方向中央の前側には、位置調整用ねじ２６が螺合可能なねじ穴２８が形成されている。
【００１２】
固定板１６は、天板１０の重心が固定板１６よりも前方に位置するように、支持部材本体１４の後面に貼り付けられている。また、固定板１６は、その下端が移動部材１８の対面板２４の下端よりも上方に位置する長さを有し、本実施例においては、その下端が移動部材１８の対面板２４の上端よりも上方に位置する長さを有する。
【００１３】
支持部材本体１４の幅方向の中央には、図３及び４に示すように前後方向に延びるスリット３０が形成されており、このスリット３０には、移動部材１８に螺合される位置調整ねじ２６が挿入し、それに沿って前後方向に移動できるように構成されている。したがって、位置調整ねじ２６を緩めて、位置調整ねじ２６をスリット３０に沿って前後方向に移動させることによって移動部材１８を支持部材本体１４に対して前後方向に移動させることができ、これにより移動部材１８の対面板２４と固定板１６の間隔を調整することができる。支持部材本体１４の側面には、図４に示すように前後方向全域に亘ってフランジ３２が突出している。
【００１４】
天板１０の両側面は、前後方向全域に亘って下方に延びる縁３４が形成されており、この縁３４の内側には、図５に示すように後端から前方向に溝３６が形成されている。この溝３６に支持部材本体１４のフランジ３２を挿入してスライドさせることによって、天板１０を支持部材本体１４に取り付けることができるよう構成されている。
【００１５】
次に、図６に示すように、本実施例に係る商品陳列台を商品ケース３８の開口４０の壁面４２に設置させる場合の動作について説明する。先ず、図７（ａ）に示すように本実施例に係る商品陳列台の固定板１６と対面板２４の間に商品ケース３８の開口４０の壁面４２を位置させ、その状態で移動部材１８を固定板１６の方向に移動させる。次いで、図７（ｂ）に示すように固定板１６と対面板２４の両板が商品ケース３８の開口４０の壁面４２に接する位置で、位置調整ねじ２６を回転させることによって、移動部材１８を固定する。この際、天板１０の重心は、固定板１６の位置よりも前方にあるとともに、対面板２４は、固定板１６よりも下方に位置するので、本実施例に係る商品陳列台が前方に傾くように、荷重が移動部材１８の支持部２２を介して対面板２４に伝わり、本実施例に係る商品陳列台を商品ケース３８の開口４０の壁面４２に安定させて支持することができる。
【図面の簡単な説明】
【００１６】
【図１】本発明に係る商品陳列台の実施例の斜視図である。
【図２】本実施例に係る商品陳列台の側面図である。
【図３】本実施例に係る商品陳列台の側面断面図である。
【図４】本実施例に係る商品陳列台の天板と支持部材を分解した状態を示す斜視図である。
【図５】本実施例に係る商品陳列台の天板を支持部材に装着させる状態を示す側面断面図である。
【図６】本実施例に係る商品陳列台を商品ケースに設置した状態を示す斜視図である。
【図７】本実施例に係る商品陳列台を商品ケースに設置する動作を示す側面図である。
【符号の説明】
【００１７】
１０   天板
１２   支持部材
１６   固定板
１８   移動部材
２２   支持部
２４   固定板
３８   商品ケース
４０   開口
４２   壁面
【図１】
2007222452.tif 000003
【図２】
2007222452.tif 000004
【図３】
2007222452.tif 000005
【図４】
2007222452.tif 000006
【図５】
2007222452.tif 000007
【図６】
2007222452.tif 000008
【図７】
2007222452.tif 000009